Podtech/llm-jp-corpus-v4-ja_patent huggingface dataset:
(57)【要約】【課題】      従来のプリンタは媒体１枚毎に取り入れて印刷していたため、製本された媒体に印刷することができなかった。【解決手段】  製本された媒体３を印刷するには、媒体挿入口１より入れたのでは綴じ込み部９が媒体挿入口１で引掛かり印刷することができない。本発明は、製本された媒体３を媒体排出口２より挿入し、スイッチ６をＯＮすることにより媒体送りローラ４が逆回転し、製本された媒体３の綴じ込み部９までプリンタ本体７の内部へ取り込む、次にスイッチ６をＯＦＦすることにより取り込みを停止する。このとき媒体送りローラ４の回転数をカウントすることにより媒体サイズを算定することができる。この算定された範囲内に印刷信号を受信することにより、媒体送りローラ４を正回転させ、印刷ユニット５が作動し印刷する。製本された媒体３に印刷したものを媒体排出口２より取り出す。【選択図】    図１
2005238804.tif 000002
【特許請求の範囲】
【請求項１】
製本された媒体を媒体排出口より逆回転により取り込み、取り込みカウント数に相当する範囲に印刷するプリンタ。
【発明の詳細な説明】
【技術分野】
【０００１】  本発明は製本された媒体に印刷するためのプリンタに関するものである。
【背景技術】
【０００２】  従来のパーソナルプリンタは、未製本の媒体に印刷するものであり、製本された媒体に印刷することができなかった。また、銀行や郵便局で使用されているキャッシュディスペンサーに設置されている特殊プリンタは、限られた厚さの媒体をプリンタ内に全て取り込み印刷しているので、ハードウェアが大型、複雑で高価なものとなっている。本発明は製本された媒体１頁毎に印刷するため製本された媒体の厚さに関係なく、且、媒体を従来の媒体排出口から挿入することにより実現したものであるので、ハードウェアも単純で安価にできる特徴をもったプリンタである。
【発明の開示】
【発明が解決しようとする課題】
【０００３】  従来のパーソナルプリンタは媒体１枚毎に取り入れて印刷していたため、製本された媒体に印刷することができなかった。また、キャッシュディスペンサーに設置された特殊プリンタはハードウェアが大型、複雑で高価なものであり、媒体の厚さも限られたものであった。
【課題を解決するための手段】
【０００４】  上記問題を解決するため、本発明は、従来の媒体排出口から製本された媒体の印刷希望頁を挿入して使用する。プリンタの媒体送りローラを逆回転し製本された媒体の該当頁の綴じ込み部まで取り込んで停止する。このとき媒体送りローラの逆回転数をカウントし該当頁のサイズを算定する。算定された媒体範囲内に、停止点から印刷を開始することにより、製本された媒体に印刷することが可能となる。
【発明の効果】
【０００５】  製本された本、ノート、日記帳、または便箋に文字、図形、グラフ、写真を印刷することができる。
【発明を実施するための最良の形態】
【０００６】  以下、本発明の実施の形態を図に基づいて説明する。
プリンタは通常、媒体挿入受皿８に媒体を装着し、媒体挿入口１より入った媒体は、プリンタ起動信号により媒体送りローラ４が回転し、印刷ユニット５で印刷され媒体排出口２より取り出す仕組みとなっている。
しかし、製本された媒体３を印刷するには、媒体挿入口１より入れたのでは綴じ込み部９が媒体挿入口１で引掛かり印刷することができない。本発明は、製本された媒体３を媒体排出口２より挿入する。挿入にあたり製本された媒体３の幅に合うよう媒体幅測定スライドガイド１０を調節する。この媒体幅測定スライドガイド１０の位置検出により製本された媒体３の１頁の幅を確認し設定する。また、印刷方向は媒体方向表示スイッチ１１を押すことにより媒体方向表示スイッチ１１内蔵ＬＥＤが点灯するとともに設定する。次にスイッチ６をＯＮすることにより媒体送りローラ４が逆回転し、製本された媒体３の綴じ込み部９までプリンタ本体７の内部へ製本された媒体３を取り込む、またスイッチ６をＯＦＦすることにより製本された媒体３の取り込みを停止する。このとき媒体送りローラ４の回転数をカウントすることにより媒体サイズを算定することができる。次に印刷信号を受信することにより、媒体送りローラ４が正回転し、印刷ユニット５が作動し算定された範囲内に印刷する。製本された媒体３に印刷したものを媒体排出口２より取り出す。
【図面の簡単な説明】
【０００７】
【図１】  製本された媒体を印刷するプリンタの断面図である。
【図２】  プリンタの外観図である。
【符号の説明】
【０００８】１    媒体挿入口
２    媒体排出口
３    製本された媒体
４    媒体送りローラ
５    印刷ユニット
６    スイッチ
７    プリンタ本体
８    媒体挿入受皿
９    綴じ込み部
１０  媒体幅測定スライドガイド
１１  媒体方向表示スイッチ
【図１】
2005238804.tif 000003
【図２】
2005238804.tif 000004
(57)【要約】【課題】  軸筒に係止孔を設け、この係止孔に係止爪を係合させることにより内蔵パーツを軸筒内に固定するようにした筆記具において、上記係止孔が外面に表われないようにする。【解決手段】  軸筒本体（２）に係止孔（９）を設け、この係止孔（９）を覆うように軟質の表層部（３）を２色成形またはインサート成形の要領により形成する。上記係止孔（９）内には、表層部（３）の一部が入り込んで内方突部（１１）が形成される。内蔵パーツを軸筒内に挿入すると、内蔵パーツに設けた係止爪（７）は、上記内方突部（１１）を変形させながら、上記係止孔（９）に係合する。係止爪（９）の外方端は、上記表層部（３）により閉塞され、外観には表われない。表層部は、グリップとして機能する。【選択図】      図２
2005238459.tif 000002
【特許請求の範囲】
【請求項１】
軸筒本体に係止孔を形成し、該軸筒内に挿入される内蔵パーツに係止爪を設けて上記係止孔に係合するようにした筆記具において、上記係止孔を覆うよう軟質の表層部を２色成形若しくはインサート成形の要領により上記軸筒本体の外面に形成し、上記係止孔を閉塞したことを特徴とする筆記具。
【請求項２】
上記表層部は上記係止孔に入り込んで形成されている請求項１に記載の筆記具。
【請求項３】
上記表層部の硬度は、上記内蔵パーツの係止爪の硬度よりも軟らかい材料で形成され、上記係止孔に係止爪を係合した際に該係止孔内に入り込んだ表層部の内方突部が変形される請求項２に記載の筆記具。
【発明の詳細な説明】
【技術分野】
【０００１】
本発明は、シャープペンシル、ボールペン、蛍光ペン等の筆記具に関する。
【背景技術】
【０００２】
筆記具、例えばシャープペンシルでは、筒状の軸筒を形成し、この軸筒内に芯繰出機構やクリップの取付筒その他の種々の内蔵パーツを挿入し、該内蔵パーツを所定位置に固定して組み立てられる。そして、内蔵パーツは、圧入、はめ込み、ねじ着等により固定され、また軸筒に係止孔を形成すると共に内蔵パーツに係止爪を設け、この係止爪を係止孔に係合させて固定する構造もよく用いられている（例えば、特許文献１参照）。しかし、係止爪を係合するための係止孔を軸筒に形成すると、孔がみえるので外観形状が損なわれ、デザイン上好ましくないことがある。また、デザインを重視し、他の部材によって隠されるような位置に係止孔を配置しようとすると、限られた部位に挿入される内蔵パーツにしか利用することができなかった。
【特許文献１】特開２００２−１６６６９２号公報、００１０及び００１１項、図１、図２）
【発明の開示】
【発明が解決しようとする課題】
【０００３】
本発明の解決課題は、上記のように軸筒に係止孔を設けて該軸筒内に挿入した内蔵パーツの係止爪を係合するようにした筆記具において、係止孔が外部に表われず、デザイン上の問題を生じないようにした筆記具を提供することである。
【課題を解決するための手段】
【０００４】
本発明によれば、軸筒本体に係止孔を形成し、該軸筒内に挿入される内蔵パーツに係止爪を設けて上記係止孔に係合するようにした筆記具において、上記係止孔を覆うよう軟質の表層部を２色成形若しくはインサート成形の要領により上記軸筒本体の外面に形成し、上記係止孔を閉塞したことを特徴とする筆記具が提供され、上記課題が解決される。
【発明の効果】
【０００５】
本発明は上記のように構成され、軸筒本体に形成した係止孔を覆うように軟質の表層部を形成したから、該係止孔の外方端が閉塞されて外観に表われないようにでき、体裁がよく、しかも表層部はグリップ部として機能するので、使い易くなる。また、該表層部の一部が係止孔に入り込むことにより、該表層部と軸筒本体は一層強固に一体化され、内蔵パーツに形成した係止爪を係止孔に係合させた際、上記係止孔内に入り込んだ表層部の内方突部に当って該内方突部が弾性的に変形するようにすると、係合状態で上記内蔵パーツがガタつかないようにすることができる。
【発明を実施するための最良の形態】
【０００６】
図１は、本発明をボールペンに適用した一実施例を示し、軸筒（１）は、軸筒本体（２）と該軸筒本体（２）の外側に２色成形若しくはインサート成形の要領により一体成形された表層部（３）を有し、軸筒本体（２）は硬質に形成され、表層部（３）は熱可塑性エラストマーや軟質プラスチック材料で軟質に形成されており、後端には内蔵パーツの一例としてクリップ（４）を有するクリップ筒（５）が設けられている。
【０００７】
図２に示すように、上記クリップ筒（５）は、軸筒本体（２）内に挿入される挿入筒（６）を有し、その外周には外方に突出する係止爪（７）が設けられかつ軸方向に延びる位置決め用突起（８）が形成され、上記表層部（３）よりも硬い材料で形成されている。
【０００８】
上記軸筒本体（２）は、係止孔（９）と位置決め用溝（１０）を有し、上記表層部（３）は該係止孔（９）を覆い、好ましくはその一部が該係止孔（９）内に入り込んで内方突部（１１）を形成している。また、上記位置決め用溝（１０）の内方には、上記係止爪（７）の挿入を案内するよう傾斜面（１２）が形成されている（図４参照）。なお、上記位置決め用突起を軸筒本体側に設け、位置決め用溝を挿入筒側に設けるようにしたり、これらの位置決め用部材を省略することもできる。
【０００９】
而して、上記クリップ筒（５）を軸筒（１）の後端から挿入すると、上記係止爪（７）は上記係止孔（９）に対向した位置で、上記表層部（３）の上記内方突部（１１）を変形させながら、該係止孔（９）内に入り、該孔縁に係合される（図４）。この際、上記係止孔に入り込む表層部（３）の量を少なくして、上記内方突部（１１）が変形しないようにしたり、軸方向の複数の個所に係止孔を形成することもできる。
【００１０】
上記実施例では、クリップ筒に本発明を適用したが、芯繰出機構部や回転カム式送り機構部その他の軸筒内に装着する各種内蔵パーツの固定手段として本発明を適用することができる。
【図面の簡単な説明】
【００１１】
【図１】本発明の一実施例を示す正面図。
【図２】軸筒とクリップ筒を示す説明図。
【図３】軸筒にクリップ筒を挿入した状態を示し、（Ａ）は縦断面図、（Ｂ）は横断面図。
【図４】係合部の一部の拡大説明図。
【符号の説明】
【００１２】
１    軸筒
２    軸筒本体
３    表層部
５    クリップ筒
７    係止爪
９    係止孔
１１    内方突部
【図１】
2005238459.tif 000003
【図２】
2005238459.tif 000004
【図３】
2005238459.tif 000005
【図４】
2005238459.tif 000006
(57)【要約】【課題】竹や木よりなる素材を切削加工して得た竹製又は木製の工芸品を灰化させることなく原形を留めた状態で炭化させることができる竹炭又は木炭工芸品の製造方法を提供する。【解決手段】竹製または木製の工芸品を籾殻、カンナ屑の木屑で包み込むようにして金属製の衣装缶１０に入れ、炭焼き釜内に燃料の竹９とともに積み重ねる。次に竹炭又は木炭製造と同様、燃料の竹９を燃焼させる。これにより衣装缶１０内の工芸品が木屑とともに原形を保って炭化する。【選択図】図１
2005238453.tif 000002
【特許請求の範囲】
【請求項１】
竹や木よりなる素材を切削加工して得た工芸品を籾殻、カンナ屑等の木屑、或いは木の葉等と共に金属製の容器に入れて密封したのち、その周りに燃料を配置し、該燃料に着火して上記工芸品を自発炭化させることを特徴とする竹炭又は木炭工芸品の製造方法。
【発明の詳細な説明】
【技術分野】
【０００１】
本発明は、竹炭又は木炭工芸品の製造方法に関する。
【背景技術】
【０００２】
竹炭又は木炭から工芸品を製造する方法は既知である。下記特許文献１には、生竹を炭焼き釜に入れて竹炭を製造し、ついでこの竹炭を所望の形状に切削加工して竹炭工芸品を製造する方法が開示されている。
【特許文献１】特開平２−２６６９０１号
【発明の開示】
【発明が解決しようとする課題】
【０００３】
竹炭や木炭は硬いが脆いため所望の形状に切削加工するのが容易でない。そこで本発明は、竹や木を切削加工して得られた工芸品を炭化して竹炭又は木炭工芸品を得ようとするものであるが、この場合の問題の一つは、通常の竹炭や木炭を製造する方法のように、工芸品を炭焼き釜に入れて炭化させた場合、かなりな部分が灰化して工芸品の原形を留めにくいことである。
【０００４】
本発明は、上記の問題を解消し、竹製または木製の工芸品を灰化させることなく、原形を留めた状態で炭化させることができるようにした竹炭又は木炭工芸品の製造方法を提供することを目的とする。
【課題を解決するための手段】
【０００５】
本発明は、竹や木よりなる素材を切削加工して得た工芸品を籾殻、カンナ屑等の木屑、或いは木の葉等と共に金属製の容器、例えば衣装缶、ドラム缶、オイル缶、１８リッター缶などに入れて密封したのち、その周りに燃料を配置し、該燃料に着火して上記工芸品を自発炭化させることを特徴とする。
【０００６】
工芸品の自発炭化は、工芸品を入れた金属製容器を炭焼き釜で木炭や竹炭を製造するのと同様にして行うこともできるし、金属製容器に薪等の燃料を被せ、該燃料に着火して行うこともできる。
【発明の効果】
【０００７】
本発明方法によると、上述する方法により自発炭化させた後、釜から取出した金属製の容器を開けて工芸品を点検したところ、木製の工芸品の場合では、木目がはっきりと見え、木の皮も原形を留めて残っているのが確認された。
【実施例１】
【０００８】
実施例１
図1及び図２は、本発明方法で用いる炭焼き釜について示すもので、図１に示すように水平断面が卵形をなす炭化室１と、焚口２と、煙道３を有し、全体が耐火レンガや耐火コンクリートで構築されている。図中、４は補助煙突、５は障壁、６は精錬孔、７は排煙口、８は排水溝である。
【０００９】
次に上記炭焼き釜を用いて行う、本発明に係る製造方法の一例について説明する。
先ず、炭化室１の床面に一定長さの丸竹９を縦向きにして並べ、床面全体に敷き詰めたのち、その上に鋼製の衣装缶１０を置く。衣装缶１０は、図３に示すようなサイズで、蓋１０ａを開けた内部には籾殻を敷き、その上から竹又は木製の工芸品を籾殻内に埋め込んではその上に籾殻を被せる作業を繰返して、籾殻で包み込んだ状態の工芸品を数層に重ねて入れ、蓋１０ａを閉めて密閉している。
【００１０】
なお、籾殻の使用量は、衣装缶１０の容積のおよそ１／２〜２／３程度であるが、籾殻に代えてカンナ屑を使用する場合には、衣装缶１０の容積のおよそ２／３〜５／６程度必要である。
【００１１】
丸竹９の上に置かれた衣装缶１０の上には更に半割りにされた竹９が横向きに並べられて積み重ねられる。次に焚口２に丸竹９が横向きにして積み重ねられ、焚口２を塞いだのち、バーナを用いて焚口２の丸竹９に着火される。着火後、炭化室内の温度が８０〜９０℃に達すると、バーナを止め、焚口２の扉（図示しない）を閉じる。そしてそのまま一昼夜おいて炭化室内の温度が１４０〜１５０℃に達した段階で一旦上記扉の上下にある空気口のうち、下側の空気口を閉じ、その後、炭化室１の温度が２００℃以上に達した時点で扉の上空気口を閉める。その後一昼夜放置すると、炭化室内の温度が自然降下し、常温まで達すると扉を開く。この状態で衣装缶１０の周りの竹は、大部分が灰化した状態にあったが、衣装缶１０を取出して開け、内部を点検したところ、工芸品が籾殻とともに原形を保って炭化しているのが確認された。
【００１２】
実施例２
図４に示すように、１０cmφの煙突１２の周りに木屑１３を敷き、その上に上述の衣装缶１０と同様、工芸品と籾殻を入れた鋼製の１８リッター缶１４を置いて、その上に更に木屑１３を１ｍ程度の高さまで被せたのち、上層部の木屑１３に着火した。木屑１３が燃焼するにつれ、新たな木屑１３を５、６回、適時供給し、８時間程度経過したのち、そのまま放置した。その後数時間経過し、木屑が燃え尽きた状態で灰の中から１８リッター缶１４を取り出し、内部を点検したところ、実施例１と同様、工芸品が籾殻と共に原形を保って炭化しているのが確認された。
【産業上の利用可能性】
【００１３】
本発明は、竹や木を切削加工して得た工芸品をそのまま炭化させた製品を得ることができる。
【図面の簡単な説明】
【００１４】
【図１】炭焼き釜の縦断面図。
【図２】同横断面図。
【図３】衣装缶のサイズを示す図。
【図４】実施例２による方法について示す図。
【符号の説明】
【００１５】
１・・炭化室
２・・焚口
３、１２・・煙突
４・・補助煙突
５・・障壁
６・・精錬孔
７・・排煙口
８・・排水溝
９・・竹
１０・・衣装缶
１３・・木屑
１４・・１８リッター缶
【図１】
2005238453.tif 000003
【図２】
2005238453.tif 000004
【図３】
2005238453.tif 000005
【図４】
2005238453.tif 000006
(57)【要約】【課題】従来の積み木玩具に見られる積み木個個体の形状の無機的さを解消して視覚的な面白みを増し、積む動作の難易度を高くすることで高度な知的欲求に応えることのできる積み木玩具を提供する。【解決手段】個個体の形状が、任意の大きさの球体と動物・人間の身体の一部を模した突起とからなり、突起同士の引っ掛かりや個個体の重みのバランスによって積むことを特徴とする積み木玩具にある。【選択図】  図７
2005270183.tif 000002
【特許請求の範囲】
【請求項１】
個個体の形状が、任意の大きさの球体と動物・人間の身体の一部を模した突起とからなり、突起同士の引っ掛かりや個個体の重みのバランスによって積むことを特徴とする積み木玩具。
【発明の詳細な説明】
【技術分野】
【０００１】
本発明は個個体が球体と突起からなる積み木玩具に関するものである。
【背景技術】
【０００２】
これまでの積み木玩具は、個個体の形状が無機的で面白みがなく、また、安定性を重視した作りとなっているため、積む動作が簡単で、飽きやすく、高度な知的欲求を満たすことが出来なかった。
【発明の開示】
【発明が解決しようとする課題】
【０００３】
本発明の課題は、従来の積み木玩具に見られる積み木個個体の形状の無機的さを解消して視覚的な面白みを増し、積む動作の難易度を高くすることで高度な知的欲求に応えることのできる積み木を提供することにある。
【課題を解決するための手段】
【０００４】
個個体の形状が、任意の大きさの球体と動物・人間の身体の一部を模した突起とからなり、突起同士の引っ掛かりや個個体の重みのバランスによって積むことを特徴とする積み木玩具にある。
【発明の効果】
【０００５】
本発明は、積み木の個個体の形状を球体と動物・人間の身体の一部を模した突起からなり、球体部分は動物・人間の胴体を連想させるため、積み木１個体ごとの形状が動物・人間の１個体を思わせる具象的で有機的なものとなり、視覚的な面白みを増す。
【０００６】
また、積み木１個体ごとの形状が動物・人間の１個体を思わせるものとなることで、本発明の積み木を積む動作が、動物・人間による曲芸を連想させるものとなるため、従来の積み木以上に、バランスをとって積み上げてゆく動作が充実感や達成感、面白みのあるものとなる。
【０００７】
また、従来の安定性を重視した積み木玩具に比べて積む動作の難易度が高くなるため、比較的高い年齢層の高度な知的欲求をも満たすことが可能となる。
【０００８】
また、平面や接着面を持たないため多様な積み方を考えることができ、長く楽しむことができる。
【発明を実施するための最良の形態】
【０００９】
突起同士の引っ掛かりや個個体の重みのバランスによって積むこと。
【実施例１】
【００１０】
図１より図６は、それぞれ本発明に基づく積み木玩具を構成する積み木単体の異なる実施例の斜視図である。すなわち図１より図６に示す積み木単体１,２,３,４,５,６は、任意の大きさの球体１２と動物・人間の身体の一部を模した突起１３とからなるものである。
【実施例２】
【００１１】
図７は、図１より図６に示す、異なる積み木単体１,２,４,５,６を用いた積み方の実施例の斜視図である。なお、この図７の積み方は水平面上で行われているものとする。この図７の積み方は、自らの突起によって水平面上に支えられる積み木単体２の上に、積み木単体１が積み木単体４,６によって重さのバランスを調整されることによって積まれ、さらに積み木単体４の突起二本のそれぞれに同形の積み木単体５が天秤のごとくバランスして釣り下がることによって成り立っている。
【実施例３】
【００１２】
図８は、図１,図２,図３に示す、異なる積み木単体１,２,３を用いた積み方の実施例の斜視図である。なお、この図８の積み方は水平面上で行われているものとする。この図８の積み方は、自らの突起によって水平面上に支えられる積み木単体１の上に、積み木単体３が突起部分を積み木単体２の重みによって押さえつけられることによって成り立っている。
【図面の簡単な説明】
【００１３】
【図１．２．３．４．５．６】それぞれ本発明に基づく積み木玩具を構成する積み木単体の異なる実施例の斜視図。
【図７】本発明に基づく積み木玩具を用いた積み方の実施例の斜視図。
【図８】本発明に基づく積み木玩具を用いた積み方の異なる実施例の斜視図。
【符号の説明】
【００１４】
１,２,３,４,５,６  積み木単体
１２  球体部分
１３  突起部分
【図１】
2005270183.tif 000003
【図２】
2005270183.tif 000004
【図３】
2005270183.tif 000005
【図４】
2005270183.tif 000006
【図５】
2005270183.tif 000007
【図６】
2005270183.tif 000008
【図７】
2005270183.tif 000009
【図８】
2005270183.tif 000010
【手続補正書】
【提出日】平成16年6月15日(2004.6.15)
【手続補正１】
【補正対象書類名】明細書
【補正対象項目名】００１３
【補正方法】変更
【補正の内容】
【００１３】
【図１】本発明に基づく積み木玩具を構成する積み木単体の実施例の斜視図。(実施例１)
【図２】本発明に基づく積み木玩具を構成する積み木単体の実施例の斜視図。(実施例２)
【図３】本発明に基づく積み木玩具を構成する積み木単体の実施例の斜視図。(実施例３)
【図４】本発明に基づく積み木玩具を構成する積み木単体の実施例の斜視図。(実施例４)
【図５】本発明に基づく積み木玩具を構成する積み木単体の実施例の斜視図。(実施例５)
【図６】本発明に基づく積み木玩具を構成する積み木単体の実施例の斜視図。(実施例６)
【図７】本発明に基づく積み木玩具を用いた積み方の実施例の斜視図。
【図８】本発明に基づく積み木玩具を用いた積み方の異なる実施例の斜視図。
(57)【要約】  【課題】  便器周辺の浄化を実効あらしめること。  【解決手段】  便器が設置されるトイレブースに、前記トイレブースの内面に光触媒液を噴霧し、その後、噴霧された光触媒液に紫外線を照射する浄化装置を設けた。【選択図】  図１
2005270187.tif 000002
【特許請求の範囲】
【請求項１】
便器が設置されるトイレブースに、前記トイレブースの内面に光触媒液を噴霧し、その後、噴霧された光触媒液に紫外線を照射する浄化装置を設けた、トイレ装置。
【発明の詳細な説明】
【技術分野】
【０００１】
本発明は、トイレ装置に関し、特に便器が設置されるトイレブースの内部表面を光触媒物質の作用で浄化させるようにしたトイレ装置に関するものである。
【背景技術】
【０００２】
近年、ＴｉＯ2で代表される光触媒の触媒反応に基づく抗菌、防臭、浄化等の技術が注目されている。これは、この光触媒は４００ｎｍ以下の波長の光、即ち紫外線エネルギーを受けて活性化され、その触媒反応で上記した抗菌、防臭、浄化等を行うものであって、多方面で活用できるからでさる。しかして、抗菌、防臭、浄化等を効果的に行うことが要請されるのは、トイレその他の衛生機器の分野であって、この分野においては、光触媒物質に関連する技術が、多々、提供されている。例えば、特許文献１は、トイレ室内部において光触媒の触媒反応による抗菌作用，防臭、浄化作用等を効果的に行わせるようにするための一例として、「便器の内部表面に光触媒を保持させるとともに、便蓋に、光触媒を活性化する４００ｎｍ以下の波長の光を照射する光触媒用照射灯を設け、その照射灯から便器の内部表面に光を照射させるようにした」技術を開示している。
【特許文献１】特開平１１−７１８０３号公報  （第１〜５頁、図５）
【発明の開示】
【発明が解決しようとする課題】
【０００３】
たしかに、便器の内部表面に光触媒を保持させるとともに、便蓋に、光触媒を活性化する４００ｎｍ以下の波長の光を照射する光触媒用照射灯を設け、その照射灯２８から便器の内部表面に光を照射させるようにしたことで、最も汚れやすい内部表面の抗菌作用，防臭作用、浄化作用等を効果的に実効あらしめたことは評価に値するも、便器が設置されるトイレブースの床面や壁面の抗菌作用、防臭作用、浄化作用についての配慮がなされておらず、中途半端の観を免れ得ない。
【０００４】
それ故に、本発明は、かかる不具合を除去し、トイレブースの内面においても、光触媒による抗菌作用、防臭作用、浄化作用の恩恵を蒙ることができるようにすることを、技術的課題とするものである。
【課題を解決するための手段】
【０００５】
上記技術的課題を解決するために請求項１記載の発明において講じた技術的手段は、
「便器が設置されるトイレブースに、前記トイレブースの内面に光触媒液を噴霧し、その後、噴霧された光触媒液に紫外線を照射する浄化装置を設けた、トイレ装置」
を構成したことである。
【発明の効果】
【０００６】
請求項１記載の発明によれば、便器周辺の、ブース内の汚れやすい内面（床・壁）の浄化・抗菌を行うことが出来、実用上、多大な効果を奏する。
【発明を実施するための最良の形態】
【０００７】
本発明の実施形態例を図面に基づいて詳しく説明する。
【０００８】
トイレブース１内の入口Ｄの奥側の壁面Ｗの近傍に、ロータンク３と一体化され且つ図示されない温水洗浄便座装置が装着された便器２が設置されている。
【０００９】
便器２の一方の側面側の、トイレブース１の側壁面ＷＰには、棚を兼用した手摺４が水平状に設置されている。この棚手摺４の下面の便器２の側方には紙巻器６が設置されたものとなっており、また、棚手摺り４の上面には縦方向に縦手摺り５が立設されている。
【００１０】
棚手摺り４の下面の紙巻器６の入口Ｄ（前側）側には、収納棚７が設置されており、この収納棚７は、棚手摺４の固定部材（ブラケット等）を流用し、引っ掛け，吊り下げられた構造となっている。つまり、収納棚７の上端は、棚手摺り４の下面に密着固定されており、収納棚７の下端が、床面Ｆから所定の距離だけ浮き上がった構成となっている。かように、収納棚７の下端と床面Ｆとの間には、空間が画成される。しかして、収納棚７の右側（便器２側）には上下方向に引出し７ｂが配置され、左側（入口Ｄ側）には上下に一対の片開き扉７ａが設けられたものとなっている。
【００１１】
収納棚７の左側（入口Ｄ側）の内部の下側空間（下側の片開き扉７ａが開かれたときに露呈する空間）には、清浄システム２０の中枢をなす制御装置２２及び噴霧装置２４が収納されている。噴霧装置２４は、内部に光触媒液を収容している。噴霧装置２４の突出口２４ａは収納棚７の底壁から外部に露呈して、床面Ｆからの所定範囲（汚れが付着し易い便器２の前方側）を照準している。おり、制御装置２２の指示によりが設置されて設けられたものとなっている。
【００１２】
トイレブース１の天井Ｃには、人体検知センサ２６が装着されており、制御装置２２は、この人体検知センサ２６を介して、トイレブース１内に人がいるかいないかを常時、認識している。トイレブース１の天井Ｃには、ＬＥＤ２８が装着されており、このＬＥＤ２８の点灯は、制御装置２２からの指示に依拠して、所定時間だけ、なされる。
【００１３】
トイレブース１内の便器２の使用が所定回数に達すると、特に汚れ易い、便器２の前方側の床面Ｆが光触媒の触媒反応により、浄化される。すなわち、制御装置２０は、人体検知センサ２６の作用により人が何回、トイレブース１内に入ったかを認知しているので、この回数が所定値に達したとき、トイレブース１に人がいないことを条件として、深夜、噴霧装置２４を作動せしめて、その吐出口２４ａから、所定量の光触媒液を便器２の前方側の床面Ｆに噴霧させる。しかる後、ＬＥＤ２８を所定時間点灯せしめて、紫外線を床面Ｆに照射する。紫外線の光触媒液への照射により、汚れの主要物質たる有機物質が分解し、向後の清掃がしやすくなる。同時に、周辺の除菌や脱臭も行われる。
【００１４】
尚、噴霧装置２４による光触媒液の噴霧が開始されてからＬＥＤ２８の点灯が終了するまでの間、不意に人がトイレブース１内に入ってこないように、入口Ｄ側は、ドア（図示略）を電磁ロック３０で閉塞しておくのが望ましい。
【００１５】
また、噴霧装置２４の吐出口２４ａの照準部位を壁面として、この壁面をＬＥＤ２８から紫外線が照射されるようにしても良い。
【００１６】
以上本発明の実施例を詳述したがこれはあくまで一例示であり、本発明はその主旨を逸脱しない範囲において種々変更を加えた形態で構成可能である。
【図面の簡単な説明】
【００１７】
【図１】本発明の実施形態例に係るトイレ装置が適用されるトイレブースの内部構造を示す図。
【図２】本発明の実施形態例に係るトイレ装置の主要部をなす浄化システムのブロック図。
【符号の説明】
【００１８】
１：  トイレブース
２：  便器
２０：浄化システム
２２：制御装置
２４：噴霧装置
２４ａ：噴霧装置の吐出口
２６：人体検知センサ
２８：ＬＥＤ（紫外線照射装置）
３０：電磁ロック
【図１】
2005270187.tif 000003
【図２】
2005270187.tif 000004
(57)【要約】【課題】高齢者や身体障害者にとっても軽く持ち易く、投げ易くそして入れ易く、リハビリにも寄与できるハンドボールゲームへの興味を目覚めさせるものとする。【解決手段】ボール１１を投げ入れる形状を逆截頭円錐１と逆截頭角錐2にし、外周に誘導ネット又はシート3及びボール１１の逸脱防止板９を設けることにより入れ易いものとし、目標物及び障害物４やボール１１の通過が見える覗き窓１０や得点がわかる音声映像表示手段６を設けて楽しめるハンドボールゲーム機とする。【選択図】図１
2005270165.tif 000002
【特許請求の範囲】
【請求項１】
ボールを逆截頭円錐又は角錐に投げ入れることを特徴とするハンドボールゲーム機。
【請求項２】
前記逆截頭円錐又は角錐を複数組み合わせたことを特徴とするハンドボールゲーム機。
【請求項３】
前記逆截頭円錐又は角錐ごとに入ったボールの通過検知器を設けたことを特徴とするハンドボールゲーム機。
【請求項４】
前記通過検知器からの信号を演算処理装置により、音声映像表示手段で知らせ、合計得点を競うことが出来るようにしたことを特徴とするハンドボールゲーム機。
【請求項５】
前記演算処理装置は逆截頭円錐又は角錐ごとに得点を１から１０までの数を任意に決められる設定手段を設けたことを特徴とするハンドボールゲーム機。
【請求項６】
前記ボールは軟質ゴムやスポンジ材質のものが使える、安全と身体のリハビリに寄与できることを特徴とするハンドボールゲーム機。
【請求項７】
前記逆截頭円錐又は角錐を複数組み合わせた全体を水平から３０度までの任意の角度に起こして受けられるような角度調節機構を設けたことを特徴とするハンドボールゲーム機。
【請求項８】
前記逆截頭円錐又は角錐を複数組み合わせた全体の外周にボールを受け易くするため誘導ネット又はシートを設けたことを特徴とするハンドボールゲーム機。
【請求項９】
前記誘導ネット又はシートは水平から鉛直までの９０度の範囲で任意の角度に調節できる角度調節機構を設けたことを特徴とするハンドボールゲーム機。
【請求項１０】
前記逆截頭円錐又は角錐を組み合わせた隙間に、投げ入れたボールの衝撃を吸収する柔らかい材質の目標物や障害物を設けたことを特徴とするハンドボールゲーム機。
【請求項１１】
前記誘導ネット又はシートにより受けたボールはいずれかの逆截頭円錐又は角錐に入る確率を上げるため透明で視界を妨げない逸脱防止板を前部に設けたことを特徴とするハンドボールゲーム機。
【請求項１２】
前記逆截頭円錐又は角錐を通過したボールが見えるように前部に透明のプレートで覗き窓を設けたことを特徴とするハンドボールゲーム機。
【請求項１３】
前記ボールを集めゲーム終了後に自動排出する機構を設けたことを特徴とするハンドボールゲーム機。
【発明の詳細な説明】
【技術分野】
【０００１】
本発明はボールを逆截頭円錐又は角錐に投げ入れるハンドボールゲーム機に関するものである。
【背景技術】
【０００２】
輪投げゲームの、輪をボールに、ポールを逆截頭円錐又は角錐に置き換えることにより健常者はもとより高齢者や身体障害者でも容易にできるハンドボールゲームにしようとしたものである。
【０００３】
この改良策として、通過検知器や音声映像表示手段を設けることにより多くの人が楽しめるようにしたものである。
【特許文献１】特開２００３−２３０６４７号公報
【発明の開示】
【発明が解決しようとする課題】
【０００４】
しかしながら既存の器具によれば輪は重く、持ちにくく、投げにくいうえにポールには入れにくく、ガイドなども付けられなかった。そこでこの発明は軽く、持ち易く、投げ易くそして入れ易く、ハンドボールゲームへの興味を目覚めさせることを課題とする。
【課題を解決するための手段】
【０００５】
以上の課題を解決するための第一発明は軟質ゴムやスポンジ材質のボールが使えるようにしたことを特徴とする。また第二発明は逆截頭円錐又は角錐を複数組み合わせることと、外周に誘導ネット又はシートを取付けたことを特徴とするハンドボールゲーム機である。
【発明の効果】
【０００６】
第一発明、または第二発明によれば、柔軟なボールにしたことと逆截頭円錐又は角錐にしたことにより投げ易く、入れ易い。
【発明を実施するための最良の形態】
【０００７】
この発明の一実施形態を図１、図２、図３に示す。
逆截頭円錐又は角錐を複数組み合わせ全体に角度を付けて前傾させ、目標物や障害物を設け外周に誘導ネット又はシートを張り巡らし、ボールの通過検知器や音声映像表示手段を設ける。
【図面の簡単な説明】
【０００８】
【図１】この発明の正面図である。
【図２】この発明の平面図である。
【図３】この発明の側面図である。
【符号の説明】
【０００９】
１  逆截頭円錐
２  逆截頭角錐
３  誘導ネット又はシート
４  目標物及び障害物
５  通過検知器
６  音声映像表示器
７  本体角度調節機構
８  ネット角度調節機構
９  逸脱防止板
１０  覗き窓
１１  ボール
１２  自動排出機構
【図１】
2005270165.tif 000003
【図２】
2005270165.tif 000004
【図３】
2005270165.tif 000005
(57)【要約】【課題】小型軽量の電動車椅子の開発【解決手段】重ね歯車の駆動力伝達方法を導入する、直接車軸を回転する重ね歯車の駆動機構や、駆動用モーターや、バッテリー等は平行した二本の後車輪の内側空間にを収納する。平行した二本の後車輪を覆う形で車体を載せて腰掛とする。車体の高さと長さは、車輪の径より少し大きい  巾は約３０糎、プラスチック化を採用して、重量は１５Kg程度である。軽量だから、高齢者や身体弱者の体力負担を軽減できる、巾と長さが小さいので一般家庭の廊下の通行も出来る。モーターは直流を採用し、前進後退を電源切り替えで行う。バッテリーは充電式で家庭電源を利用する。電動車椅子を小型軽量化したので価格を大幅に削減出来た。【選択図】図１
2005270166.tif 000002
【特許請求の範囲】
【請求項１】
本発明は、電動車椅子の駆動方法に（重ね歯車）を導入する為に、車体を改造した電動車椅子。
二つの車輪を結合した車軸を駆動する重ね歯車機構や、重ね歯車用のモーターや、バッテリー、コントローラー等は、総て並立した後車輪の内側空間に収納する。
車体は、後車輪を覆う形にして腰掛、巾、高さ、長さ、重さを最小にする。
前車輪は着脱自在、足置きと方向転換用、ハンドルには発停スイッチを装着する。
（重ね歯車）の駆動方法を応用した、小型軽量の電動車椅子。
【請求項２】
（重ね歯車）の駆動方法を導入した電動車椅子。
車軸で連結した二つの車輪を、車軸に直角にオス歯板を固定し、メス歯板を電動回転してオス歯板と係合し、（重ね歯車）で直接車軸を回転する電動車椅子。
【発明の詳細な説明】
【技術分野】
【０００１】
電動車椅子に関わる。
【背景技術】
【０００２】
高齢者の一人暮らしが増加している、車椅子を押してくれる人が居ない場合は移動に困る。
車椅子の車輪の手回しは、高齢者や身体弱者には体力負担が無理である。
市販の電動車椅子の車体構造では一般住宅の廊下通行は不可能である。
高齢社会の到来が人口に膾炙しているのに、高齢者や身体弱者の建物内を移動するサポート技術の開発は遅れている。
【発明の開示】
【発明が解決しようとする課題】
【０００３】
電動車椅子の小型軽量化と、低価格化
【課題を解決するための手段】
【０００４】
（重ね歯車）の駆動力伝達方法を導入し、車体を改造する。
【０００５】
並立した後車輪の内側空間に、（重ね歯車）の駆動機構、電源、コントローラー等を収納するから、車体は小型軽量化が出来る。
【発明の効果】
【０００６】
小型軽量化した電動車椅子は、移動者の意思で自由に住宅の廊下を移動できる。
【０００７】
小型軽量化した電動車椅子の取扱が容易で、高齢者や身体弱者の体力負担にならない。
本発明の電動車椅子は、車体、駆動機構、車輪等をプラスチック化して重量が１５Kｇ程度。
【発明を実施するための最良の形態】
【０００８】
本発明は（重ね歯車）の駆動力伝達方法を導入して、機構部分を後車輪の内側空間に収容したから車体の小型化が出来た、車体、駆動部、をプラスチック化して軽量化を図った。
【実施例１】
【０００９】
本発明の電動車椅子を、図面に従って説明します。
図１は、電動車椅子の正面図です、
後車輪１３０を車体１００が覆う形で腰掛とする。
前車輪１２０は着脱自在で、ハンドル１１５か足操作で方向操作をする、
ハンドルには発停スイッチを装着する。
後倒れ止め１４０は、後部に設ける。
【００１０】
図２は図１の矢視図です。
車軸１１０を直接回転駆動する重ね歯車機構（２００S×２００T、×M）と電源は、二つの車輪１３０の内側空間に収納。
車体１００は、二つの車輪を覆う形で、腰掛となる。
前輪１２０は、ハンドル１１５又は直接足の操作で方向転換する事が出来る。
ハンドル１１５に装着した発停スイッチは、前進後進を指示する。
【００１１】
図３は（重ね歯車）の回転力の伝達説明図
電動機Mはメス歯車２００Sを回転する、メス歯Vがオス歯Pと径合してオス歯車２００Tを駆動回転すると、オス歯車に結合されている車軸１１０が回転する。
【産業上の利用可能性】
【００１２】
軽量化した電動車椅子は、日常的に高齢者や身体弱者の移動に役立つ。
小型化した電動車椅子は、一般家庭の廊下を通行出来る。
小型軽量化の効果は低価格化の実現である。
椅子が自走する。
車体や、車輪や、駆動機構をプラスチック化する。
【図面の簡単な説明】
【００１３】
【図１】小型電動車椅子の正面図
【図２】前図の矢視図
【図３】重ね歯車の駆動力伝達図
【符号の説明】
【００１４】
符号          説明
１００        車椅子の車体
１１０        二つの後車輪の結合車軸
１１５        ハンドル
１２０        前車輪
１２５        前車輪ベアリング
１３０        後車輪
１４０        倒れ防止車
２００S      重ね歯車メス歯板
２００T      重ね歯車オス歯板
M            駆動用電動機（直流）
B            バッテリー
P            オス歯
V            メス歯
【図１】
2005270166.tif 000003
【図２】
2005270166.tif 000004
【図３】
2005270166.tif 000005
(57)【要約】【課題】物を吊り下げるために用いるフックにおいて、吊りもとの棒状部材等にフックを引っ掛けるための引っ掛け部分の形状を工夫することにより、棒状部材に対する掛け外しはしやすく、しかも不用意には外れにくい形状を得る。【解決手段】吊りもとの棒状部材に吊り下げ用具を引っ掛けて係止するための引っ掛け部分の形状は、略Ｕ字形を逆さにしたような形状を成しているのが一般的であるが、略Ｕ字形の下向きの先端部を延長し、螺旋を成すように水平方向に対して位相を変位させながらＵ字形に終端がほぼ上を向くように曲げ上げ、吊りもと部材の下縁部位置をおおまかに巻き込むよう形成する。【選択図】図１
2005270160.tif 000002
【特許請求の範囲】
【請求項１】
略水平に設置された棒状又はひも状などの吊りもと部材に引っ掛けて、物を吊り下げるために設置されるハンガーや汎用のＳ字状フックなどの吊り下げ用具において、吊りもとの棒状部材等に吊り下げ用具を引っ掛けるための引っ掛け部分の形状は略Ｕ字形を逆さにした形状を成しているのが一般的であるが、逆さＵ字状の下向きの先端部を延長し、螺旋を成すように水平方向に対して位相を変位させながらＵ字形に曲げ上げることにより、吊りもと部材の下縁部をおおまかに巻き込むよう形成する。巻き込み形状により垂直方向の動きに対して外れにくく、巻き込みながら螺旋状に位相をずらすことにより吊りもととなる棒状部材等に対する掛け外しには障害となりにくい形状とした吊り下げ用具。
【発明の詳細な説明】
【技術分野】
【０００１】
棒状又はひも状などの吊りもと部材に引っ掛けて、物を吊り下げる機能を有する吊り下げ用具の吊りもと部材に引っ掛ける部分の形状に関することである。
【背景技術】
【０００２】
従来もっとも多く普及している略Ｕ字形を逆さにしたような形状を成している引っ掛け部では、引っ掛け部分の開口部が棒状部材等の吊りもとの外径に対して十分に通せるだけの広さを想定して開口されている。
【０００３】
そのため掛けやすい反面落下しやすく、その対策としてたとえば衣類用ハンガーでは引っ掛け部の弾性を利用して竿材に対する握持力を装備する方法や、ばねを利用して竿材を両側から挟む形態のものなど、さまざまな仕組みや方式が考案されている。
【発明の開示】
【発明が解決しようとする課題】
【０００４】
衣類のハンガーや調理道具類の吊り下げ式収納設備などの吊り下げ用Ｓ字状フックやその他あらゆる用途に用いられる汎用の吊り下げフックなど、略水平に設置された棒状又はひも状などの吊りもと部材に引っ掛けて、物を吊り下げるために利用されるフックにおいて、吊りもと部材にフックを係止するための引っ掛け部分の形状を工夫することにより、棒状部材に対する掛け外しはしやすく、しかも不用意には外れにくい形状を得る。
【課題を解決するための手段】
【０００５】
略水平に設置された棒状又はひも状などの吊りもと部材に引っ掛けて、物を吊り下げるために設置されるハンガーや汎用のＳ字状フックなどの吊り下げ用具において、吊りもとの棒状部材に吊り下げ用具を引っ掛けるための引っ掛け部分の形状は、略Ｕ字形を逆さにしたような形状を成しているのが一般的であるが、その逆さになった略Ｕ字形の下向きの先端を延長し、螺旋を成すように水平方向に対して位相を変位させながら正Ｕ字形に終端がほぼ上を向くように曲げ上げ、吊りもと部材の下縁部をおおまかに巻き込むよう形成する。
【０００６】
一例として、物干し竿などの棒状の吊りもと部材に本思想による引っ掛け部形状を採用した衣類用ハンガーを掛けるには、一般に普及している衣類用ハンガーと同様に竿材の上から引っ掛け部分を掛ける動作をするが、そのときＵ字状に曲げ上げられた部分が竿材の上縁部付近に当たり動作の障害となるので、それを避けるため当たりを逃がすように斜交いにして（図４の線Ｅ1Ｅ2位置）、まず竿材に引っ掛け部が引っ掛かるようにし、次にハンガーを少しひねりながら終端部Ｚを竿材の下にくぐらせるように竿材の下縁部に巻き込ませることで、結果として螺旋状のフック部の中に吊りもとの物干し竿を通した格好になる（図２及び図５）。  一方、竿材からハンガーを外すときはその逆の手順で動作をする。
【０００７】
尚、本思想による引っ掛け部の具体的形状については、図１から図５に例示した形状に限定されるものではなく、上記（０００５）に述べた解決手段を用いたあらゆる形状が含まれる。
【発明の効果】
【０００８】
従来もっとも多く普及している略Ｕ字形を逆さにしたような形状を成している引っ掛け部では、引っ掛け部分の開口部が棒状部材等の吊りもとの太さを十分に通すだけの広さを想定して開口されているため、掛けやすい反面何らかの揺動作用により外れやすいという欠点を持ち合わせていた。
【０００９】
本発明では、一般に普及している逆さになった略Ｕ字状の開口部を備えたフックの欠点である外れやすさを克服しながら、一方で掛けやすさをできるだけ損なうことがないように、逆さＵ字状の下向きの先端部を、螺旋を成すように水平方向に対して位相を変位させながら延長しつつ略Ｕ字形に曲げ上げることにより、終端に向かうにつれて逆さＵ字状部分から、偏心しながら逃がすような形態となるので、曲げ上げられた終端部Ｚと逆さＵ字状部分の間に吊りもと部材を通すだけの十分な幅を形成でき、結果として掛けやすく外れにくい形状とすることができる。
【図面の簡単な説明】
【００１０】
【図１】本思想による形状の一例を有した引っ掛け部が棒状の吊りもと部材に掛かった状態の棒状部材の長手方向から見たものである。
【図２】図１のＡの方位から見たものである。
【図３】図１のＢの方位から見たものである。
【図４】吊りもと部材の下部位置に終端部Ｚを巻き込ませる直前の状態をあらわす。
【図５】図１のＣの方位から見たもので、吊りもと部材の下部位置に終端部Ｚを巻き込ませて引っ掛け動作が完了した状態を表す。
【符号の説明】
【００１１】
Ａ  図２の方位をあらわす。
Ｂ  図３の方位をあらわす。
Ｃ  図５の方位をあらわす。
Ｄ1・Ｄ2  吊りもと部材に通常の逆さＵ字形状の引っ掛け部を掛けるときの吊りもと材に対する引っ掛け部のおよその位置。
Ｅ1・Ｅ2  吊りもと部材に本思想による形状を有した引っ掛け部を掛ける一連の動作において、吊りもと部材の下部位置に終端部Ｚを巻き込ませる直前の段階における引っ掛け部のおよその位置。
Ｚ  略Ｕ字形状に曲げ上げた引っ掛け部の終端部をあらわす。  
【図１】
2005270160.tif 000003
【図２】
2005270160.tif 000004
【図３】
2005270160.tif 000005
【図４】
2005270160.tif 000006
【図５】
2005270160.tif 000007
(57)【要約】【課題】  掃除機が角に当たってときでも移動が楽に行える掃除機の引っかかり防止機構を提供する。【解決手段】  この発明は、掃除機が移動中に角や障害物に当たって引っかかることを防止するために、掃除機の前方又は側方に設けられるローラーよりなる掃除機の引っかかり防止機構である。ローラー１が掃除機の角に当たりやすい部分、特に掃除機の前方や側方に設けられる。ローラー１は掃除機の製造工程で本体と一体に設けてもよいし、後に取り付けるアタッチメントの形態であってもよい。ローラー１は少なくともひとつの回転体を備えるが、好ましくは上下にそれぞれ回転体を設ける。【選択図】              図１
2005270122.tif 000002
【特許請求の範囲】
【請求項１】
掃除機が移動中に角や障害物に当たって引っかかることを防止するために、掃除機の前方又は側方に設けられるローラーよりなる掃除機の引っかかり防止機構。
【請求項２】
掃除機が移動中に角や障害物に当たって引っかかることを防止するために、掃除機の前方又は側方に設けられるボールよりなる掃除機の引っかかり防止機構。
【発明の詳細な説明】
【技術分野】
【０００１】
この発明は、掃除機が移動中に角や障害物に当たって引っかかることを防止するための掃除機の引っかかり防止機構に関する。
【背景技術】
【０００２】
電気式掃除機が広く用いられている。多くの掃除機は、モーターや集塵パックを収納する本体と、これに取り付けられる長いホースからなる。この種の掃除機はホースの部分をもち掃除を行うが、本体に設けられた車輪によりホースの移動に伴って本体も移動する。掃除を楽に行えるように本体が軽く動くように工夫されている。
【発明の開示】
【発明が解決しようとする課題】
【０００３】
しかしながら、掃除機をかけているときに壁や家具の角にちょうど当たったりすると、本体が軽く動くように工夫されているにもかかわらず、掃除機がひっかかりうまく動かなくなる。
【０００４】
そこで、本発明は、掃除機が角に当たったときでも移動が楽に行える掃除機の引っかかり防止機構を提供することを目的とする。
【課題を解決するための手段】
【０００５】
この発明は、掃除機が移動中に角や障害物に当たって引っかかることを防止するために、掃除機の前方又は側方に設けられるローラーよりなる掃除機の引っかかり防止機構である。ローラーが掃除機の角に当たりやすい部分、特に掃除機の前方や側方に設けられる。好ましくは、掃除機本体の凸の部分に設けられる。ローラーは掃除機の製造工程で本体と一体に設けてもよいし、後に取り付けるアタッチメントの形態であってもよい。ローラーは少なくともひとつの回転体を備えるが、好ましくは図４（ａ）に示すように上下にそれぞれ回転体を設ける。回転体部分が最初に角に当たるが、その接触抵抗は小さいため掃除機本体は容易に角を回ることができる。
【０００６】
この発明は、掃除機が移動中に角や障害物に当たって引っかかることを防止するために、掃除機の前方又は側方に設けられるボールよりなる掃除機の引っかかり防止機構である。ローラーの場合と同様の作用効果を奏するが、ボールであり任意の回転方向に滑らかに回転するため、取り付け方向を選ばず、上下・左右いずれの方向に対しても容易に角を回ることができる。
【発明の効果】
【０００７】
本発明に係る掃除機の引っかかり防止機構によれば、角に当たりやすい部分にローラー又はボールを設けたので、掃除機が角に当たってときでも移動が楽に行える。
【発明を実施するための最良の形態】
【０００８】
図１は、発明の実施の形態に係る引っかかり防止機構を掃除機に取り付けた状態を示す上面図である。図２は、発明の実施の形態に係るローラーよりなる引っかかり防止機構を掃除機に取り付けた状態を示す斜視図である。
【０００９】
図１及び図２において、１はローラーよりなる引っかかり防止機構、１０は掃除機本体、１１は掃除機本体に設けられた車輪、２０は本体に取り付けられるホースである。図１は掃除機本体１０の進行方向を前方として、前方に２つ、側方に２つ、合計４つのローラー１を設けた状態を示し、図２は掃除機本体１０の前方にローラー１を２つ設けた状態を示す。掃除機本体１０が小型であれば図２のようであってもよく、逆に大型であれば図１のようにしたり、あるいはもっと多くのローラー１を設けるようにしてもよい。
【００１０】
図４（ａ）は発明の実施の形態に係るローラーよりなる引っかかり防止機構の説明図である。同図はローラー１をその回転軸の側面から見た図である。回転軸１ｃの両端に回転体１ａ，１ｂが設けられている。回転軸１ｃにはベアリング１ｄ，１ｅが設けられていて回転体１ａ，１ｂが滑らかに回転するようになっている。ベアリング１ｄ，１ｅはローラーの支持部１ｆに取り付けられている。支持部１ｆのＳの面が掃除機本体１０に取り付けられる。
【００１１】
本発明の実施の形態に係る掃除機の引っかかり防止機構を掃除機本体の前方又は側方をつけることにより、掃除機が角や障害物にあたり引っかかることを防止することができる。掃除機の引っかかり防止機構として、掃除機本体に元から付いている物、あるいは簡単なアタッチメントや両面テープ等によりつける物も、これに含まれる。
【００１２】
本発明の実施の形態に係る掃除機の引っかかり防止機構として、ローラー以外にもボールを用いることができる。図３は、発明の実施の形態に係るボールよりなる引っかかり防止機構を掃除機に取り付けた状態を示す斜視図である。ボール２の取り付け位置は、ローラー１の場合と同様であるが、回転方向を選ばないので、自由な位置に取り付けることができる。上側又は下側で突出している一方に設けたり、上下両方に設けても良い。
【００１３】
図４（ｂ）は発明の実施の形態に係るボールよりなる引っかかり防止機構の説明図である。球体２ａが小さな円盤２ａ，２ｂにより支えられているので、球体２ａは自由に回転できる。円盤２を３つ以上設ければ回転方向は任意である。
【００１４】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００１５】
【図１】発明の実施の形態に係る引っかかり防止機構を掃除機に取り付けた状態を示す上面図である。
【図２】発明の実施の形態に係るローラーよりなる引っかかり防止機構を掃除機に取り付けた状態を示す斜視図である。
【図３】発明の実施の形態に係るボールよりなる引っかかり防止機構を掃除機に取り付けた状態を示す斜視図である。
【図４】図４（ａ）は発明の実施の形態に係るローラーよりなる引っかかり防止機構の説明図、図４（ｂ）は発明の実施の形態に係るボールよりなる引っかかり防止機構の説明図である。
【符号の説明】
【００１６】
１    ローラー
２    ボール
１０    掃除機本体
１１    車輪
２０    ホース
【図１】
2005270122.tif 000003
【図２】
2005270122.tif 000004
【図３】
2005270122.tif 000005
【図４】
2005270122.tif 000006